【手続補正書】
【提出日】平成16年12月3日(2004.12.3)
【手続補正１】
【補正対象書類名】明細書
【補正対象項目名】全文
【補正方法】変更
【補正の内容】
【書類名】      明細書
【発明の名称】  遊技機
【特許請求の範囲】
【請求項１】  遊技盤が装着される本体部と、その本体部に対し一側が開閉機構によって開閉可能に取り付けられ、他側が閉止機構に閉じ状態に保持される開閉扉と、を備え、前記開閉扉には、前記遊技盤の遊技領域を透視可能な開口窓が形成されるとともに、その開口窓を塞ぐ透明板を保持する窓枠が設けられた遊技機であって、
前記遊技盤と前記透明板との間には、同透明板を前方に押圧する押圧手段が設けられ、
前記押圧手段は、前記開閉扉が閉じ状態にあるときには弾性圧縮され、その弾性圧縮に基づく弾発力によって前記透明板を前方に押圧するように、一端が前記遊技盤側に固定され他端が自由端となる弾性圧縮可能な弾性部材を有し、
前記弾性部材の自由端部には、前記透明板に当接する押圧板が設けられ、
前記押圧板は、前記透明板に面接触するように前記弾性部材の自由端部に傾動可能に設けられていることを特徴とする遊技機。
【請求項２】  請求項１に記載の遊技機であって、
弾性部材は、遊技盤の遊技領域の外側部分の複数箇所にそれぞれ配設されていることを特徴とする遊技機。
【請求項３】  請求項１又は２に記載の遊技機であって、
弾性部材は、少なくとも開閉扉の開閉機構が設けられる側に配設されていることを特徴とする遊技機。
【発明の詳細な説明】
【０００１】
【発明の属する技術分野】
この発明は、例えば、パチンコ機（アレンジボール機、雀球機等も含む）のような遊技機（弾球遊技機と呼ばれることもある）に関し、詳しくは、遊技盤が装着される本体部と、その本体部に対し一側が開閉機構によって開閉可能に取り付けられ、他側が閉止機構に閉じ状態に保持される開閉扉と、を備えた遊技機に関する。
【０００２】
【従来の技術】
従来、この種の遊技機において、本体部に対し、その一側が開閉機構によって開閉可能に装着される開閉扉には、遊技盤の遊技領域を透視可能な開口窓が形成される。また、開閉扉には、その開口窓を塞ぐ透明板（ガラス板、透明な合成樹脂板等）を保持する横断面略Ｕ字状の保持溝を有する窓枠（ガラスレールとも呼ばれている）が設けられている。この窓枠の保持溝の溝幅は、透明板の板厚寸法よりも若干大きく設定され、その保持溝に透明板が着脱可能に差し込まれて保持されるようになっているのが一般的である。
【０００３】
【発明が解決しようとする課題】
ところで、前記従来の開閉扉において、窓枠の保持溝と透明板との間には隙間が発生し、その隙間に相当する分だけ透明板がガタツクことがある。
透明板のガタツキを防止するために、窓枠の保持溝内にバネ材を配設し、そのバネ材のバネ力によって、窓枠の保持溝の一側に透明板を押し付けることで透明板のガタツキを防止することが知られている。
しかしながら、窓枠の保持溝内にバネ材を配設すると、窓枠の保持溝内に透明板を差し込む際、バネ材が障害物となる。このため、窓枠の保持溝に透明板を差し込む作業が困難となる。言い換えると、窓枠に対する透明板の装着性が悪化する問題点があった。
この発明の目的は、前記問題点に鑑み、開閉扉の窓枠に対する透明板の装着性の悪化を防止しながら、透明板のガタツキを防止することができる遊技機を提供することである。
【０００４】
【課題を解決するための手段】
前記目的を達成するために、第１の発明に係る遊技機は、遊技盤が装着される本体部と、その本体部に対し一側が開閉機構によって開閉可能に取り付けられ、他側が閉止機構に閉じ状態に保持される開閉扉と、を備え、前記開閉扉には、前記遊技盤の遊技領域を透視可能な開口窓が形成されるとともに、その開口窓を塞ぐ透明板を保持する窓枠が設けられた遊技機であって、
前記遊技盤と前記透明板との間には、同透明板を前方に押圧する押圧手段が設けられ、
前記押圧手段は、前記開閉扉が閉じ状態にあるときには弾性圧縮され、その弾性圧縮に基づく弾発力によって前記透明板を前方に押圧するように、一端が前記遊技盤側に固定され他端が自由端となる弾性圧縮可能な弾性部材を有し、
前記弾性部材の自由端部には、前記透明板に当接する押圧板が設けられ、
前記押圧板は、前記透明板に面接触するように前記弾性部材の自由端部に傾動可能に設けられていることを特徴とする。
【０００５】
したがって、窓枠内に透明板のガタツキを防止するバネ部材を設けることなく、遊技盤と透明板との間に、同透明板を前方に押圧する押圧手段を設けることによって、開閉扉の窓枠に対する透明板の装着性の悪化を防止しながら、透明板のガタツキを防止することができる。
また、押圧手段の押圧力を透明板を介して開閉扉に作用させてその開閉扉を前方に押圧することができる。これによって、開閉扉の扉用開閉機構や扉用閉止機構における前後方向のガタツキも防止することが可能となる。さらに、遊技盤の前面から透明板の後面までの距離寸法を略一定に保つことも可能となる。この結果、開閉扉のガタツキが原因となって遊技盤の前面から透明板の後面までの距離寸法が不測に変化することを解消することができる。
例えば、遊技盤の前面から後側の透明板の後面までの距離寸法の不測の変化によって遊技球が遊技盤の遊技領域の釘、風車器、入賞器等の一部と透明板との間に噛み込む不具合を防止することが可能となる。
また、弾性圧縮可能な弾性部材によって押圧手段を容易にかつ安価に構成することができ、実用性に優れたものとなる。
しかも、弾性部材の自由端部に傾動可能に設けられた押圧板が透明板の板面に沿って押隙間なく面当たりさせた状態、すなわち、面接触させた状態で弾性部材の弾発力を押圧板を介して透明板に作用させることができる。このため、押圧板の押圧面の一部が片寄って透明板の板面に当たることを防止することができる。この結果、押圧板の片当たりが原因となって押圧板の押圧力が不足したり、あるいは透明板が損傷される不具合を防止することができる。
【０００６】
第２の発明に係る遊技機は、請求項２に記載のとおりの構成を要旨とするものであり、弾性部材は、遊技盤の遊技領域の外側部分の複数箇所にそれぞれ配設されている。
したがって、遊技盤の遊技領域の外側部分の複数箇所に配設された複数の弾性部材によって、窓枠に対する透明板のガタツキや本体部に対する開閉扉のガタツキを一層良好に防止することができる。
【０００７】
第３の発明に係る遊技機は、請求項３に記載のとおりの構成を要旨とするものであり、弾性部材は、少なくとも開閉扉の開閉機構が設けられる側に配設されている。
したがって、開閉扉の開閉機構におけるガタツキ防止に効果が大きい。
【０００８】
【発明の実施の形態】
この発明の実施の形態を図面にしたがって説明する。
図３は遊技機としてのパチンコ機（弾球遊技機ともいう）の正面図である。図４は図３のＩＶ−ＩＶ線に基づく縦断面図である。図５は図３のＶ−Ｖ線に基づく平断面図である。図６は本体部の外枠に対し基枠を開きその基枠に対し開閉扉を開いた状態を示す斜視図である。図７は本体部の外枠に対し基枠を開いた状態を示す斜視図である。
図３〜図７において、パチンコ機１の本体部は、外枠３と基枠７を主体として構成され、基枠７の前側には開閉扉３０が開閉可能に装着されている。
外枠３は方形枠状に形成され、その前面の下部には基枠７の下面を受ける受板が設けられている。
【０００９】
図６と図７に示すように、外枠３の前側には、基枠７がその一側の基枠用開閉機構をなす基枠用ヒンジ部材６の軸を支点として開閉可能に取り付けられている。この基枠７の他側は、基枠用閉止機構をなす基枠施錠用フック１５によって閉じ状態に保持されている。なお、周知のように、基枠用閉止機構は、基枠７の後側面に設けられた基枠施錠用フック１５と、その基枠施錠用フック１５に係脱可能に位置において外枠３の内側面に設けられた係止具（図示しない）とを備えている。そして、基枠７が閉じられることで、その基枠施錠用フック１５が外枠３の係止具に係合して基枠７が閉じ状態に施錠されるようになっている。
また、外枠３に対する基枠７の解錠は、基枠７の鍵穴１８に対し鍵を挿入し、その鍵を、所定方向に回動操作することで、基枠施錠用フック１５が外枠３の係止具から外れ、外枠３に対し基枠７が解錠されるようになっている。
図４〜図６に示すように、基枠７は、遊技盤１０の前面の略全体を露出する開口部を有する方形額縁状に形成されている。この基枠７の後面には、その開口部周縁に沿って遊技盤装着枠８が設けられている。そして、遊技盤１０は、遊技盤装着枠８の後方から着脱可能に嵌込まれる。さらに、遊技盤装着枠８の片側において開閉可能に装着された機構板１９を閉じ、遊技盤装着枠８の後面に配設された複数の締付具９を固定位置まで回動することによって遊技盤装着枠８に機構板１９を介して遊技盤１０が固定されるようになっている（図７参照）。
【００１０】
図６に示すように、遊技盤１０の前面には、球発射通路を構成する外レールと内レールを備えた案内レール１１が装着され、その案内レール１１の内側には遊技領域１２が区画されている。遊技盤１０の前面には、その遊技領域１２内においてセンタ役物、入賞口、風車器、多数の釘等が配設されている。また、遊技盤１０の前面には、その遊技領域１２の外側においてパネル飾り等の部品２８が取り付けられている。
また、図６に示すように、基枠７の前面の下部には、発射レール装置６０が配設されるとともに、その発射レール装置６０を覆うようにして前板６２が開閉可能に装着されている。前板６２の前面には上皿６１が装着され、同前板６２の下方に位置する基枠７の下部前面には、操作ハンドル１６、下皿１７等が配設されている。
【００１１】
図６に示すように、基枠７の前側には、一側が扉用開閉機構２０によって開閉可能に取り付けられ、他側が扉用閉止機構２５によって閉じ状態に保持される開閉扉３０が配設されている。
この実施の形態において、開閉扉３０の一側とこれに対向する基枠７前面の一側との間には、扉用開閉機構２０を構成する扉用ヒンジ部材２１が配設されており、その扉用ヒンジ部材２１のヒンジ軸を支点（中心）として開閉扉３０が開閉可能に装着されている。また、開閉扉３０後面の他側（自由端側）と基枠７前面の他側との間には、扉閉止用フック２６と施錠板２７とを備えた扉用閉止機構２５が配設されている。
【００１２】
すなわち、図１と図６に示すように、開閉扉３０後面の一側の上下及び中間の計三箇所には、扉閉止用フック２６が突設される一方、基枠７の他側部には開閉扉３０が閉じられたときには、その扉閉止用フック２６が差し込まれる差込孔７ａが形成されている。
また、基枠７の後面の他側部には、各扉閉止用フック２６に係脱可能に係合して開閉扉３０を閉じ状態に施錠する施錠孔を有する施錠板２７が施錠位置と開錠位置とに移動可能（上下動可能）に配設されている。そして、開閉扉３０が閉じられることで、その扉閉止用フック２６が施錠板２７を、一旦、バネの弾発力に抗して開錠方向に移動しながらその施錠孔に差し込まれ、その後、施錠板２７がバネの弾発力によって元の施錠位置に戻されることで、扉閉止用フック２６が施錠板２７に係合し、これによって、開閉扉３０が閉じ状態に施錠されるようになっている。
また、基枠７に対する開閉扉３０の解錠は、基枠７の鍵穴１８に対し鍵を挿入し、その鍵を、外枠３に対する基枠７の解錠方向とは逆の方向に回動操作することで、施錠板２７がバネの弾発力に抗して開錠方向に移動し、これによって施錠板２７の施錠孔から扉閉止用フック２６が外れ、基枠７に対し開閉扉３０が解錠されるようになっている。
【００１３】
図１、図２及び図６に示すように、開閉扉３０は、本体フレーム３２と、その本体フレーム３２の前面に装着された合成樹脂製の前面飾り部材３３を主体として構成されている。本体フレーム３２は、鉄板等の金属板や硬質合成樹脂より形成され、その本体フレーム３２の中央部には、遊技盤１０の遊技面１４を透視可能な略円形の開口窓３１が形成されている。
また、前面飾り部材３３は合成樹脂の成形品より形成され、その前面には凹凸の装飾が施されるとともに、その一部には光が出射されるレンズ部が適宜に形成されている。
また、本体フレーム３２と前面飾り部材３３との間には、レンズ部に対応する位置においてランプ、ＬＥＤ等の発光体３６を備えたランプ基板３５が配設されている。
【００１４】
図１、図２及び図６に示すように、開閉扉３０の本体フレーム３２の後面には、開口窓３１を塞ぐ前後二枚の方形の透明板４２を保持するするための窓枠４０が一体状に形成されている。この窓枠４０は、開口窓３１の下方において左右方向に延びる下枠部４０ａと、その下枠部４０ａの左右両端から上方に立ち上がって延びる左右の両側枠部４０ｂとをそれぞれ備えて略Ｕ字枠状に形成されている。また、窓枠４０の下枠部４０ａ及び左右の両側枠部４０ｂには、透明板４２が上方から差し込まれかつその透明板４２を保持するための横断面略Ｕ字状の保持溝４１が形成されている。
【００１５】
前後二枚の透明板４２を保持するために窓枠４０の下枠部４０ａ及び左右の両側枠部４０ｂには、保持溝４１が前後２列をなして形成されている。また、前後の両保持溝４１の上端は窓枠４０の左右の両側枠部４０ｂの上端に開口している。そして、前後二枚の透明板４２は、その左右両縁部が左右の両側枠部４０ｂのガラス差込口から各保持溝４１に差し込まれ、その透明板４２の下縁が下枠部４０ａの保持溝４１に差し込まれた状態で保持されるようになっている。
また、窓枠４０の左右の両側枠部４０ｂの上端部には、ガラス押え体４５が開閉可能あるいは着脱可能に装着されている。
例えば、ガラス押え体４５の両端部に開閉アームが設けられ、その両開閉アームが長孔とピンによって窓枠４０の左右の両側枠部４０ｂの上端部に取り付けられることで、ガラス押え体４５が前後方向に開閉可能に装着されている。そして、ガラス押え体４５は、窓枠４０の左右の両側枠部４０ｂの上端に跨って閉じられたることで、透明板４２の上端を押えるようになっている。
また、ガラス押え体４５が開放されることによって、窓枠４０の保持溝４１の上方開口部から透明板４２が着脱交換可能に差し込まれるようになっている。
【００１６】
図１〜図３に示すように、遊技盤１０前面と後側の透明板４２との間には、同透明板４２を前方に押圧する押圧手段が設けられている。この押圧手段は、弾性的に変形する弾性部材５１を有している。
この実施の形態において、弾性部材５１は、弾性的に伸縮する圧縮コイルスプリングよりなるバネ部材５２によって構成されている。そして、バネ部材５２の一端は、遊技盤１０側に固定され、同バネ部材５２の他端側（自由端側）には、後側の透明板４２の後面に当接する平板状（例えば、円板状）の押圧板５３が取り付けられている。この押圧板５３はバネ部材５２の他端部に、開閉扉３０の開閉方向、すなわち、左右方向に傾動自在に取り付けられることが望ましい。さらに、左右方向に加えて上下方向及び斜め方向いずれの方向にも傾動自在に取り付けられることが望ましい。
また、バネ部材５２は、遊技盤１０の遊技領域１２の外側部分の複数箇所にそれぞれ配設されることが望ましい。
また、弾性部材５１としてのバネ部材５２は、少なくとも開閉扉３０の扉用開閉機構２０が設けられる側に配設されることが望ましい。
【００１７】
特に、この実施の形態において、バネ部材５２は、遊技盤１０の遊技領域１２の外側部分において、開閉扉３０の扉用開閉機構２０が設けられる側の上下２箇所と、扉用閉止機構２５が設けられる側の上下２箇所、合計４箇所に配設されている。
また、図１と図２に示すように、遊技盤１０の遊技領域１２の外側のバネ部材５２が配設される部分において、パネル飾り等の部品２８が取り付けられている場合には、その部品２８の一部に、バネ部材５２を伸縮案内して収納するための凹部２８ａを形成し、その凹部２８ａの底面にバネ部材５２の一端を安定よく固定することが望ましい。
【００１８】
この実施の形態の遊技機１は上述したように構成される。したがって、開閉扉３０の窓枠４０の保持溝４１に対し透明板４２を装着したり、あるいは脱着交換する場合、開閉扉３０の扉用閉止機構２５を解錠した状態で、本体部側、すなわち、基枠７に対し開閉扉３０が扉用ヒンジ部材２１のヒンジ軸を中心として前方に回動して開かれる（図２参照）。その後、窓枠４０の左右の両側枠部４０ｂの上端部に対し、ガラス押え体４５が開放される。
前記の状態において、窓枠４０の保持溝４１の上方開口部から透明板４２が差し込まれることで透明板４２が容易に装着される。
すなわち、窓枠４０の保持溝４１内には、従来と異なり、透明板４２の差し込みに支障をきたすバネ部材が配設されていないため、窓枠４０の保持溝４１に対し透明板４２を容易に差し込んで装着することができる。
【００１９】
図１に示すように、開閉扉３０が扉用ヒンジ部材２１のヒンジ軸を中心として回動されて閉じられると、扉用閉止機構２５の扉閉止用フック２６が施錠板２７の施錠孔に係合する。これによって、開閉扉３０が閉じ状態に施錠（係止）される。
開閉扉３０の閉じ動作によって、複数のバネ部材５２の各押圧板５３が開閉扉３０の後側の透明板４２に押し付けられて後退することで複数のバネ部材５２が弾性的に圧縮変形される。
そして、開閉扉３０が閉じ状態に施錠（係止）された状態において、複数のバネ部材５２の弾性圧縮に基づく弾発力を受けた各押圧板５３によって後側の透明板４２が前方に向けて押圧される。これによって、後側の透明板４２が窓枠４０の保持溝４１の前側内壁面に押し付けられるため、保持溝４１内において透明板４２がガタツク不具合が解消される。
【００２０】
また、複数のバネ部材５２の弾性圧縮に基づく弾発力によって後側の透明板４２を前方に向けて押圧するとともに、その透明板４２を介して開閉扉３０全体を前方に向けて押圧することができる。これによって、開閉扉３０の扉用ヒンジ部材２１のヒンジ軸と軸受け部との間の隙間による開閉扉３０のガタツキや扉閉止用フック２６と施錠板２７との間の隙間による開閉扉３０のガタツキを防止することできる。
そして、前記したように開閉扉３０のガタツキを防止することで、遊技盤１０の前面から後側の透明板４２の後面までの距離寸法を略一定に保つことが可能となる。この結果、開閉扉３０のガタツキが原因となって遊技盤１０の前面から後側の透明板４２の後面までの距離寸法が不測に変化することを解消することができる。例えば、遊技盤１０の前面から後側の透明板４２の後面までの距離寸法の不測の変化によって遊技球（パチンコ球）が遊技盤１０の遊技領域１２の釘１３、風車器、入賞器等の一部と後側の透明板４２との間に噛み込む不具合を防止することができる。
【００２１】
また、複数のバネ部材５２は、遊技盤１０の遊技領域１２の外側において、開閉扉３０の扉用開閉機構２０が設けられる側の上下２箇所と、扉用閉止機構２５が設けられる側の上下２箇所、合計４箇所に配設されている。このため、遊技盤１０の遊技領域１２に対し複数のバネ部材５２を配設するスペースを確保する必要がないばかりでなく、複数のバネ部材５２によって見栄えが悪化されたり、あるいは遊技に支障をきたすことがない。
また、前記したように複数のバネ部材５２が配設されることによって、これら複数のバネ部材５２の弾性圧縮に基づく弾発力を後側の透明板４２の４隅部近傍にそれぞれ略均一に作用させて後側の透明板４２を前方に向けて押圧することができる。このため、保持溝４１内において透明板４２がガタツク不具合を一層良好に防止することができるとともに、開閉扉３０のガタツキも一層良好に防止することができる。
【００２２】
また、この実施の形態において、バネ部材５２の自由端側には、少なくとも、開閉扉３０の開閉方向、すなわち左右方向（左右方向に加えて上下方向及び斜め方向の全方向）に傾動自在に押圧板５３が取り付けられている。これによって、押圧板５３の前面が後側の透明板４２の後面に隙間なく面当たりする。このため、押圧板５３の前面の一部が片寄って透明板４２の後面に当たることを防止することができる。この結果、押圧板５３の片当たりが原因となって押圧板５３の押圧力が不足したり、あるいは透明板４２が損傷される不具合を防止することができる。
【００２３】
なお、この発明は前記実施の形態に限定するものではない。
例えば、前記実施の形態では、弾性部材５１として圧縮コイルスプリングよりなるバネ部材５２を用いたが、板バネによって構成してもよい。
また、弾性部材５１をゴム等の弾性体によって構成することも可能であり、さらに、バネ材（金属製、合成樹脂製等のバネ材）とゴム製の弾性体とを組み合わせて構成することも可能である。また、弾性部材５１がゴム製の弾性体であったり、あるいは弾性部材５１の先端面（透明板４２に当接する端面）がゴムや樹脂である場合には、押圧板５３を設ける必要はない。
また、遊技盤１０と透明板４２との間に対する弾性部材５１の配設位置や配設個数は適宜に設定すればよい。
また、開閉扉３０の透明板４２を前方に押圧する押圧手段としては、前記した弾性部材５１の他に、流体（圧縮ガス、液体等）を用いて押圧手段を構成することも可能である。
【００２４】
【発明の効果】
以上述べたように、この発明によれば、遊技機の本体部に開閉可能に装着された開閉扉の窓枠に対し、透明板を容易に装着することができるとともに、押圧手段によって透明板を前方に押圧して透明板のガタツキを防止することができる。
【図面の簡単な説明】
【図１】
この発明の実施の形態に係る本体部の遊技盤と閉じ状態にある開閉扉の透明板との間に押圧手段としてのバネ部材が配設された状態を拡大して示す平断面図である。
【図２】
同じく本体部に対し開閉扉が所定角度だけ開かれた状態を拡大して示す平断面図である。
【図３】
同じく遊技機としてのパチンコ機全体を示す正面図である。
【図４】
同じく図３のＩＶ−ＩＶ線に基づく縦断面図である。
【図５】
同じく図３のＶ−Ｖ線に基づく平断面図である。
【図６】
同じく本体部の外枠に対し基枠を開きその基枠に対し開閉扉を開いた状態を示す斜視図である。
【図７】
同じく本体部の外枠に対し基枠を開いた状態を示す斜視図である。
【符号の説明】
１  パチンコ機（遊技機）
３  外枠（本体部）
７  基枠（本体部）
１０  遊技盤
１１  案内レール
１２  遊技領域
２０  扉用開閉機構（開閉機構）
２５  扉用閉止機構（閉止機構）
３０  開閉扉
３１  開口窓
４０  窓枠
４１  保持溝
４２  透明板
５０  押圧手段
５１  弾性部材
５２  バネ部材
５３  押圧板